(57)【要約】【課題】ユーザの意図する画像を適正に撮像する。【解決手段】撮像装置１００であって、表示端末２の端末側シャッタボタンが操作されて無線制御部１１０を介して記録指示が入力されたか、或いは、本体側シャッタボタン１０２ａが操作されて記録指示が入力されたかを判定する第１判定部１０９ａと、端末側シャッタボタンが操作されて記録指示が入力されたと判定されると、当該記録指示が入力された時点で表示端末の表示部に表示されている画像と対応付けてメモリ１０３に記録されている画像を取得させる一方で、本体側シャッタボタンが操作されて記録指示が入力されたと判定されると、撮像条件が調整されて撮像部１０４により撮像された画像を取得させる取得制御部１０９ｃと、を備えている。【選択図】図２
2015119432.tif 000002
【特許請求の範囲】
【請求項１】
撮像手段と、
前記撮像手段により撮像された画像を表示する表示手段及び前記撮像手段により撮像される画像の記録指示を入力するための端末側操作手段を備える端末と所定の通信回線を介して情報通信を行う通信手段と、
前記撮像手段により撮像される画像の記録指示を入力するための本体側操作手段と、
前記端末側操作手段が操作されて前記通信手段を介して前記記録指示が入力されたか、或いは、前記本体側操作手段が操作されて前記記録指示が入力されたかを判定する第一の判定手段と、
前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段と、
を備えたことを特徴とする撮像装置。
【請求項２】
当該装置本体の動きを検出する検出手段と、
前記本体側操作手段が操作されて前記記録指示が入力された際に、前記検出手段により動きが検出されているか否かを判定する第二の判定手段と、を更に備え、
前記取得制御手段は、
前記第二の判定手段により動きが検出されていると判定されると、前記本体側操作手段が操作されて前記記録指示が入力された時点で一時記録手段に記録されている最も新しい画像を取得させる一方で、動きが検出されていないと判定されると、撮像条件が調整されて前記撮像手段により撮像された画像を取得させることを特徴とする請求項１に記載の撮像装置。
【請求項３】
前記撮像手段による撮像条件を逐次調整する調整手段を更に備え、
前記調整手段は、
前記記録指示が入力される前に前記撮像手段による撮像条件を逐次調整するとともに、前記第二の判定手段により動きが検出されていないと判定された後に、前記撮像手段による撮像条件を再度調整することを特徴とする請求項２に記載の撮像装置。
【請求項４】
前記調整手段により撮像条件を調整する所定のモードを設定する設定手段を更に備え、
前記取得制御手段は、
前記設定手段により前記所定のモードが設定されている場合には、前記第二の判定手段により動きが検出されていると判定されても、前記調整手段により撮像条件が調整されて前記撮像手段により撮像された画像を取得させることを特徴とする請求項３に記載の撮像装置。
【請求項５】
前記表示手段に表示される画像と前記一時記録手段に記録される画像は、所定の識別情報を用いて対応付けられてなることを特徴とする請求項１〜４の何れか一項に記載の撮像装置。
【請求項６】
前記取得制御手段により取得された画像を記録する記録手段を更に備えることを特徴とする請求項１〜５の何れか一項に記載の撮像装置。
【請求項７】
撮像手段を備える撮像装置と、所定の通信回線を介して情報通信可能に接続された端末とを備える撮像システムであって、
前記端末は、
前記撮像手段により撮像された画像を表示する表示手段と、
前記撮像手段により撮像される画像の記録指示を入力するための端末側操作手段と、を備え、
前記撮像装置は、
前記端末と所定の通信回線を介して情報通信を行う通信手段と、
前記撮像手段により撮像される画像の記録指示を入力するための本体側操作手段と、
前記端末側操作手段が操作されて前記通信手段を介して前記記録指示が入力されたか、或いは、前記本体側操作手段が操作されて前記記録指示が入力されたかを判定する第一の判定手段と、
前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段と、を備えたことを特徴とする撮像システム。
【請求項８】
撮像手段と、前記撮像手段により撮像された画像を表示する表示手段及び前記撮像手段により撮像される画像の記録指示を入力するための端末側操作手段を備える端末と所定の通信回線を介して情報通信を行う通信手段と、前記撮像手段により撮像される画像の記録指示を入力するための本体側操作手段と、を備える撮像装置を用いた撮像方法であって、
前記端末側操作手段が操作されて前記通信手段を介して前記記録指示が入力されたか、或いは、前記本体側操作手段が操作されて前記記録指示が入力されたかを判定する処理と、
前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる処理と、
を含むことを特徴とする撮像方法。
【請求項９】
撮像手段と、前記撮像手段により撮像された画像を表示する表示手段及び前記撮像手段により撮像される画像の記録指示を入力するための端末側操作手段を備える端末と所定の通信回線を介して情報通信を行う通信手段と、前記撮像手段により撮像される画像の記録指示を入力するための本体側操作手段と、を備える撮像装置が有するコンピュータを、
前記端末側操作手段が操作されて前記通信手段を介して前記記録指示が入力されたか、或いは、前記本体側操作手段が操作されて前記記録指示が入力されたかを判定する第一の判定手段、
前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段、
として機能させることを特徴とするプログラム。
【発明の詳細な説明】
【技術分野】
【０００１】
本発明は、撮像装置、撮像システム、撮像方法及びプログラムに関する。
【背景技術】
【０００２】
従来、表示部を有するリモートコントローラと所定の無線通信回線を介して接続された撮像装置が知られている。この撮像装置では、ライブビュー画像を所定の無線通信回線を介してリモートコントローラに送信し、表示部に表示されるライブビュー画像の内容をユーザが確認しつつ、所望のタイミングで記録指示を撮像装置に送信して、画像の記録を行うようになっている。
【０００３】
ところで、リモートコントローラの表示部におけるライブビュー画像の表示は、当該ライブビュー画像が撮像された時点から時間的に遅れが生じてしまう。さらに、リモートコントローラから送信された記録指示が撮像装置により受信されて記録動作が行われる場合、リモートコントローラが操作された時点から時間的に遅れが生じてしまう。
そこで、記録指示が入力された時点で表示部に表示されている画像と識別子により対応付けられている画像を一時記憶部から取得して記録する技術が提案されている（例えば、特許文献１参照）。
【先行技術文献】
【特許文献】
【０００４】
【特許文献１】特開２００８−３０６７０８号公報
【発明の概要】
【発明が解決しようとする課題】
【０００５】
しかしながら、被写体を撮像する際に、例えば、ＡＦ（自動合焦処理）、ＡＥ（自動露出処理）、ＡＷＢ（自動ホワイトバランス）等の各種の撮像条件を調整したい場合もあるが、上記特許文献１等の技術だけでは対応することができず、ユーザの意図する画像を撮像することができないといった問題がある。
【０００６】
本発明は、このような問題に鑑みてなされたものであり、本発明の課題は、ユーザの意図する画像を適正に撮像することができる撮像装置、撮像システム、撮像方法及びプログラムを提供することである。
【課題を解決するための手段】
【０００７】
上記課題を解決するため、本発明に係る撮像装置は、
撮像手段と、前記撮像手段により撮像された画像を表示する表示手段及び前記撮像手段により撮像される画像の記録指示を入力するための端末側操作手段を備える端末と所定の通信回線を介して情報通信を行う通信手段と、前記撮像手段により撮像される画像の記録指示を入力するための本体側操作手段と、前記端末側操作手段が操作されて前記通信手段を介して前記記録指示が入力されたか、或いは、前記本体側操作手段が操作されて前記記録指示が入力されたかを判定する第一の判定手段と、前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段と、を備えたことを特徴としている。
【０００８】
また、本発明に係る撮像システムは、
撮像手段を備える撮像装置と、所定の通信回線を介して情報通信可能に接続された端末とを備える撮像システムであって、前記端末は、前記撮像手段により撮像された画像を表示する表示手段と、前記撮像手段により撮像される画像の記録指示を入力するための端末側操作手段と、を備え、前記撮像装置は、前記端末と所定の通信回線を介して情報通信を行う通信手段と、前記撮像手段により撮像される画像の記録指示を入力するための本体側操作手段と、前記端末側操作手段が操作されて前記通信手段を介して前記記録指示が入力されたか、或いは、前記本体側操作手段が操作されて前記記録指示が入力されたかを判定する第一の判定手段と、前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段と、を備えたことを特徴としている。
【０００９】
また、本発明に係る撮像方法は、
撮像手段と、前記撮像手段により撮像された画像を表示する表示手段及び前記撮像手段により撮像される画像の記録指示を入力するための端末側操作手段を備える端末と所定の通信回線を介して情報通信を行う通信手段と、前記撮像手段により撮像される画像の記録指示を入力するための本体側操作手段と、を備える撮像装置を用いた撮像方法であって、前記端末側操作手段が操作されて前記通信手段を介して前記記録指示が入力されたか、或いは、前記本体側操作手段が操作されて前記記録指示が入力されたかを判定する処理と、前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる処理と、を含むことを特徴としている。
【００１０】
また、本発明に係るプログラムは、
撮像手段と、前記撮像手段により撮像された画像を表示する表示手段及び前記撮像手段により撮像される画像の記録指示を入力するための端末側操作手段を備える端末と所定の通信回線を介して情報通信を行う通信手段と、前記撮像手段により撮像される画像の記録指示を入力するための本体側操作手段と、を備える撮像装置が有するコンピュータを、前記端末側操作手段が操作されて前記通信手段を介して前記記録指示が入力されたか、或いは、前記本体側操作手段が操作されて前記記録指示が入力されたかを判定する第一の判定手段、前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段、として機能させることを特徴としている。
【発明の効果】
【００１１】
本発明によれば、ユーザの意図する画像を適正に撮像することができる。
【図面の簡単な説明】
【００１２】
【図１】本発明を適用した一実施形態の撮像システムの概略構成を示す図である。
【図２】図１の撮像システムを構成する撮像装置の概略構成を示すブロック図である。
【図３】図１の撮像システムを構成する表示端末の概略構成を示すブロック図である。
【図４】図１の撮像システムによる撮像処理に係る動作の一例を示すフローチャートである。
【発明を実施するための形態】
【００１３】
以下に、本発明について、図面を用いて具体的な態様を説明する。ただし、発明の範囲は、図示例に限定されない。
【００１４】
図１は、本発明を適用した一実施形態の撮像システム１００の概略構成を示す図である。
図１に示すように、本実施形態の撮像システム１００は、撮像装置１（図２参照）と、表示端末２（図３参照）とを備え、撮像装置１と表示端末２とは、無線通信回線を介して情報通信可能に接続されている。
【００１５】
先ず、撮像装置１について、図２を参照して説明する。
図２は、撮像システム１００を構成する撮像装置１の概略構成を示すブロック図である。
【００１６】
図２に示すように、撮像装置１は、中央制御部１０１と、操作入力部１０２と、メモリ１０３と、撮像部１０４と、画像データ処理部１０５と、表示部１０６と、動き検出部１０７と、モード設定部１０８と、記録動作制御部１０９と、無線制御部１１０と、記録部１１１とを備えている。
また、中央制御部１０１、メモリ１０３、撮像部１０４、画像データ処理部１０５、表示部１０６、記録動作制御部１０９、無線制御部１１０及び記録部１１１は、バスライン１１２を介して接続されている。
【００１７】
中央制御部１０１は、撮像装置１の各部を制御するものである。具体的には、中央制御部１０１は、図示は省略するが、ＣＰＵ（Central Processing Unit）、ＲＡＭ（Random Access Memory）、ＲＯＭ（Read Only Memory）を備え、撮像装置１用の各種処理プログラム（図示略）に従って各種の制御動作を行う。
【００１８】
操作入力部１０２は、当該撮像装置１の所定操作を行うためのものである。
例えば、操作入力部１０２は、撮像部１０４により撮像される被写体の画像の記録指示を入力するための本体側シャッタボタン（本体側操作手段）１０２ａを具備している。また、操作入力部１０２は、図示は省略するが、撮像モードや機能等の選択指示に係る選択決定ボタン、ズーム量の調整指示に係るズームボタン（何れも図示略）等を備えていても良い。
そして、操作入力部１０２は、各ボタンの操作に応じて所定の操作信号を中央制御部１０１に出力する。
【００１９】
なお、操作入力部１０２は、表示部１０６の表示パネルと一体となって設けられたタッチパネル（図示略）を有して構成されていても良い。
【００２０】
メモリ１０３は、例えば、ＤＲＡＭ（Dynamic Random Access Memory）等により構成され、中央制御部１０１の他、当該撮像装置１の各部によって処理されるデータ等を一時的に記憶するものである。
また、メモリ（一時記録手段）１０３は、例えば、時刻情報や通し番号等の識別情報（後述）を用いて表示用の画像データと対応付けられた各フレーム画像の画像データを一時的に記録する。具体的には、メモリ１０３は、例えば、リングバッファから構成された一時記録領域を具備し、所定フレーム数分のフレーム画像の画像データを識別情報と対応付けて順次記録する。
【００２１】
撮像部１０４は、被写体を撮像する撮像手段を構成している。具体的には、撮像部１０４は、レンズ部１０４ａと、電子撮像部１０４ｂと、撮像制御部１０４ｃとを備えている。
【００２２】
レンズ部１０４ａは、例えば、ズームレンズやフォーカスレンズ等の複数のレンズから構成されている。
電子撮像部１０４ｂは、例えば、ＣＣＤ（Charge Coupled Device）やＣＭＯＳ（Complementary Metal-oxide Semiconductor）等のイメージセンサから構成され、レンズ部１０４ａの各種レンズを通過した光学像を二次元の画像信号に変換する。
なお、図示は省略するが、撮像部１０４は、レンズ部１０４ａを通過する光の量を調整する絞りを備えていても良い。
【００２３】
撮像制御部１０４ｃは、撮像部１０４による被写体の撮像を制御する。即ち、撮像制御部１０４ｃは、図示は省略するが、タイミング発生器、ドライバなどを備えている。そして、撮像制御部１０４ｃは、タイミング発生器、ドライバにより電子撮像部１０４ｂを走査駆動して、所定周期毎にレンズ部１０４ａにより結像された光学像を電子撮像部１０４ｂにより二次元の画像信号に変換させ、当該電子撮像部１０４ｂの撮像領域から１画面分ずつフレーム画像を読み出して画像データ処理部１０５に出力させる。
【００２４】
また、撮像制御部（調整手段）１０４ｃは、ＡＦ（自動合焦処理）、ＡＥ（自動露出処理）、ＡＷＢ（自動ホワイトバランス）等の被写体を撮像する際の撮像条件を逐次調整する。
具体的には、撮像制御部１０４ｃは、ユーザによる当該装置本体の本体側シャッタボタン１０２ａ或いは表示端末２の端末側シャッタボタン２０２ａの所定操作に基づいて画像の記録指示が入力される前、すなわち、撮像部１０４によるライブビュー画像の撮像の際に、撮像条件を逐次調整する。また、撮像制御部１０４ｃは、画像の記録指示が入力された後、第２判定部１０９ｂ（後述）により動きが検出されていないと判定されると、撮像条件を再度調整する。
ここで、画像の記録指示が入力された後の撮像条件の再度の調整は、例えば、ＡＦ枠やＡＥ枠や顔検出処理の検出結果等を利用することで、ライブビュー画像の撮像の際の撮像条件の調整よりも相対的に高い精度となるのが好ましい。
【００２５】
画像データ処理部１０５は、被写体の画像データを生成する。
即ち、画像データ処理部１０５は、撮像部１０４により撮像されるフレーム画像を逐次処理する。具体的には、画像データ処理部１０５は、電子撮像部１０４ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。そして、画像データ処理部１０５は、生成された各フレーム画像の画像データ（ＹＵＶデータ）をメモリ１０３に出力する。
また、画像データ処理部１０５は、ライブビュー画像を構成する各フレーム画像の表示用の画像データとして、例えば、表示パネルの表示解像度等に基づいて各フレーム画像を所定サイズ（例えば、ＶＧＡやＱＶＧＡサイズ）に縮小する処理を行う。そして、画像データ処理部１０５は、生成された各フレーム画像の表示用の画像データの表示部１０６や無線制御部１１０に出力する。
【００２６】
また、画像データ処理部１０５は、メモリ１０３に出力される各フレーム画像の画像データや表示用の画像データに所定の識別情報を対応付ける処理を行う。例えば、画像データ処理部１０５は、識別情報として、計時部（図示略）により計時される時刻情報や撮像部１０４による撮像毎に計数される通し番号等を用いて、各フレーム画像の画像データや表示用の画像データに付加する。
【００２７】
表示部１０６は、例えば、ＬＣＤ等を具備し、中央制御部１０１のＣＰＵの制御下にて各種情報を表示画面に表示する。具体的には、表示部１０６は、静止画撮像モードや動画撮像モードにて、撮像部１０４による被写体の撮像により生成された複数のフレーム画像を所定の再生フレームレートで逐次更新しながらライブビュー画像を表示する。
【００２８】
動き検出部（検出手段）１０７は、当該装置本体の動きを検出する。
具体的には、動き検出部１０７は、例えば、３軸加速度センサ（図示略）を具備し、当該３軸加速度センサにより検出された加速度に基づいて当該装置本体の動きを検出する。
【００２９】
３軸加速度センサは、互いに直交する３軸方向の加速度をそれぞれ検出し、検出された各軸の検出信号を所定の周波数でサンプリングする。そして、動き検出部１０７は、３軸加速度センサによる検出結果に基づいて所定の演算を行って装置本体の移動量等を算出し、これら移動量等を装置本体の動き情報として検出する。なお、動き検出部１０７は、当該装置本体の動きの検出を常時行っても良いし、所定のタイミングで（例えば、当該装置本体の本体側シャッタボタン１０２ａを介して画像の記録指示が入力されていると判定された場合等に）行っても良い。
そして、動き検出部１０７は、検出された動き情報を記録動作制御部１０９に出力する。
なお、上記の当該装置本体の動きとは、例えば、当該装置本体を所持するユーザが移動する際や手ぶれにより生じる相対的に大きな動き等を含むものとする。
【００３０】
モード設定部（設定手段）１０８は、撮像制御部１０４ｃにより撮像条件を調整する所定のモードを設定する。例えば、モード設定部１０８は、ユーザによる操作入力部１０２の所定操作に基づいて指示された所定のモードを設定する。具体的には、モード設定部１０８は、撮像部１０４による撮像条件を常時調整する撮像条件調整モード等を設定する。
【００３１】
記録動作制御部１０９は、第１判定部１０９ａと、第２判定部１０９ｂと、取得制御部１０９ｃとを具備している。
なお、記録動作制御部１０９の各部は、例えば、所定のロジック回路から構成されているが、当該構成は一例であってこれに限られるものではない。
【００３２】
第１判定部１０９ａは、端末側シャッタボタン２０２ａが操作されて画像の記録指示が入力されたか、或いは、本体側シャッタボタン１０２ａが操作されて画像の記録指示が入力されたかを判定する。
すなわち、第１判定部（第一の判定手段）１０９ａは、端末側シャッタボタン２０２ａが操作されることで所定の無線通信回線を介して送信され無線制御部１１０を介して受信された記録指示が入力されたか、或いは、本体側シャッタボタン１０２ａが操作されて中央制御部１０１を介して記録指示が入力されたかを判定する。
【００３３】
第２判定部１０９ｂは、動き検出部１０７により当該装置本体の動きが検出されているか否かを判定する。
すなわち、第２判定部（第二の判定手段）１０９ｂは、本体側シャッタボタン１０２ａが操作されて画像の記録指示が入力された際に、動き検出部１０７により当該装置本体の動きが検出されているか否かを判定する。具体的には、第１判定部１０９ａにより本体側シャッタボタン１０２ａが操作されて画像の記録指示が入力されたと判定されると、第２判定部１０９ｂは、動き検出部１０７から出力されて入力された動き情報に基づいて、当該装置本体の動きが検出されているか否かを判定する。
【００３４】
取得制御部１０９ｃは、記録部１１１に記録される画像の取得を制御する。
すなわち、取得制御部（取得制御手段）１０９ｃは、第１判定部１０９ａにより端末側シャッタボタン２０２ａが操作されて画像の記録指示が入力されたと判定されると、当該記録指示が入力された時点で表示端末２の表示部１０６に表示されている画像と対応付けてメモリ１０３に記録されている画像を取得させる。具体的には、取得制御部１０９ｃは、第１判定部１０９ａにより端末側シャッタボタン２０２ａが操作されて画像の記録指示が入力されたと判定された場合に、無線制御部１１０により受信された当該記録指示と対応付けられている表示用の画像データの識別情報を取得する。そして、取得制御部１０９ｃは、メモリ１０３を参照して表示用の画像データの識別情報と対応付けられているフレーム画像の画像データを記録用の画像データとして取得させる。
【００３５】
その一方で、取得制御部（取得制御手段）１０９ｃは、第１判定部１０９ａにより本体側シャッタボタン１０２ａが操作されて画像の記録指示が入力されたと判定されると、撮像制御部１０４ｃにより撮像条件が調整されて撮像部１０４により撮像された画像を取得させる。具体的には、例えば、本体側シャッタボタン１０２ａが半押し操作されると、撮像制御部１０４ｃは、ＡＦ、ＡＥ、ＡＷＢ等の撮像条件を調整し、その後、本体側シャッタボタン１０２ａが全押し操作されると、取得制御部１０９ｃは、撮像部１０４により撮像されて画像データ処理部１０５により生成された画像データを記録用の画像データとして取得させる。
このとき、第２判定部１０９ｂにより当該装置本体の動きが検出されていると判定されると、取得制御部１０９ｃは、本体側シャッタボタン１０２ａが操作されて記録指示が入力された時点でメモリ１０３に記録されている最も新しいフレーム画像の画像データを取得させる。具体的には、本体側シャッタボタン１０２ａが操作されて記録指示が入力される以前、例えば、ライブビュー画像の撮像の際に、撮像制御部１０４ｃにより撮像条件が逐次調整された状態となっている。そして、本体側シャッタボタン１０２ａが操作されて記録指示が入力された時点では、撮像制御部１０４ｃにより撮像条件の再度の調整が行われずに、取得制御部１０９ｃは、メモリ１０３に記録されている最も新しいフレーム画像の画像データを取得させる。一方、第２判定部１０９ｂにより当該装置本体の動きが検出されていないと判定されると、取得制御部１０９ｃは、例えば、本体側シャッタボタン１０２ａが半押し操作された時点で撮像制御部１０４ｃにより撮像条件が調整されて撮像部１０４により撮像された画像の画像データを記録用の画像データとして取得させる。
なお、本体側シャッタボタン１０２ａが全押し操作された時点で撮像制御部１０４ｃが撮像条件の調整を再度行っても良く、この場合には、取得制御部１０９ｃは、撮像制御部１０４ｃにより撮像条件の調整が再度行われて撮像部１０４により撮像された画像の画像データを記録用の画像データとして取得させても良い。
【００３６】
また、モード設定部１０８により撮像部１０４による撮像条件を常時調整する撮像条件調整モードが設定されている場合、取得制御部１０９ｃは、第２判定部１０９ｂにより当該装置本体の動きが検出されていると判定されても、撮像制御部１０４ｃにより撮像条件が調整されて撮像部１０４により撮像された画像の画像データを取得させても良い。すなわち、撮像条件調整モードが設定されている場合には、当該装置本体の動きの有無に拘わらず、例えば、本体側シャッタボタン１０２ａが半押し操作されると、撮像制御部１０４ｃは、ＡＦ、ＡＥ、ＡＷＢ等の撮像条件を調整し、その後、本体側シャッタボタン１０２ａが全押し操作されると、取得制御部１０９ｃは、撮像部１０４により撮像されて画像データ処理部１０５により生成された画像データを記録用の画像データとして取得させるようにしても良い。
【００３７】
無線制御部（通信手段）１１０は、所定の無線通信回線を介して接続された表示端末２等の外部機器との情報の通信制御を行う。
即ち、無線制御部１１０は、所定の通信回線を介して通信する通信手段を構成し、例えば、無線ＬＡＮモジュール等を備えている。具体的には、無線制御部１１０は、通信アンテナ１１０ａを具備し、例えば、外部のアクセスポイント（固定基地局）を経由せずに直接表示端末２の無線制御部２０４との間で無線通信回線を構築するPeer to Peer（アドホックモード）で動作する。このアドホックモードでは、例えば、予め当該無線通信回線の通信方式、暗号化情報、チャンネル、ＩＰアドレス等の各種の通信制御情報を設定しておく。そして、無線制御部１１０は、無線通信可能範囲内に存し、共通の通信制御情報が設定されている表示端末２の無線制御部２０４との間で無線通信を行う。
【００３８】
なお、無線制御部１１０は、例えば、当該装置本体に所定のインタフェース（例えば、ＵＳＢ（Universal Serial Bus）等）を介して接続された構成であっても良いし、当該装置本体或いは装置本体に着脱自在な記録媒体（図示略）等に内蔵された構成であっても良い。
【００３９】
記録部１１１は、画像データ処理部１０５の符号化部（図示略）により所定の圧縮形式（例えば、ＪＰＥＧ形式、モーションＪＰＥＧ形式、ＭＰＥＧ形式等）で符号化された記録用の画像データを所定の記録領域に記録させる。具体的には、記録部（記録手段）１１１は、取得制御部１０９ｃにより取得された画像、すなわち、メモリ１０３に表示用の画像データの識別情報と対応付けられているフレーム画像の画像データや、撮像条件が調整された状態で撮像部１０４により撮像されて画像データ処理部１０５により生成された画像データや、メモリ１０３に記録されている最も新しいフレーム画像の画像データ等を記録する。
なお、記録部１１１は、例えば、不揮発性メモリ（フラッシュメモリ）等の記録媒体が着脱自在に構成されていても良い。
【００４０】
次に、表示端末２について、図３を参照して説明する。
図３は、撮像システム１００を構成する表示端末２の概略構成を示すブロック図である。
【００４１】
図３に示すように、表示端末２は、中央制御部２０１と、操作入力部２０２と、メモリ２０３と、無線制御部２０４と、画像データ処理部２０５と、表示部２０６とを備えている。
また、中央制御部２０１、メモリ２０３、無線制御部２０４、画像データ処理部２０５及び表示部２０６は、バスライン２０７を介して接続されている。
なお、表示端末２は、例えば、スマートフォン、携帯電話やＰＨＳ（Personal Handy-phone System）、ＰＤＡ（Personal Data Assistants）等から構成されている。
【００４２】
中央制御部２０１は、表示端末２の各部を制御するものである。具体的には、中央制御部２０１は、図示は省略するが、ＣＰＵ（Central Processing Unit）、ＲＡＭ（Random Access Memory）、ＲＯＭ（Read Only Memory）を備え、表示端末２用の各種処理プログラム（図示略）に従って各種の制御動作を行う。
【００４３】
操作入力部２０２は、当該表示端末２の所定操作を行うためのものである。
例えば、操作入力部２０２は、撮像装置１の撮像部１０４により撮像される被写体の画像の記録指示を入力するための端末側シャッタボタン（端末側操作手段）２０２ａを具備している。また、操作入力部２０２は、図示は省略するが、撮像モードや機能等の選択指示に係る選択決定ボタン、ズーム量の調整指示に係るズームボタン（何れも図示略）等を備えていても良い。
そして、操作入力部２０２は、各ボタンの操作に応じて所定の操作信号を中央制御部２０１に出力する。
【００４４】
なお、操作入力部２０２は、表示部２０６の表示パネルと一体となって設けられたタッチパネル（図示略）を有して構成されていても良い。
【００４５】
メモリ２０３は、例えば、ＤＲＡＭ（Dynamic Random Access Memory）等により構成され、中央制御部２０１の他、当該表示端末２の各部によって処理されるデータ等を一時的に記憶するものである。
【００４６】
無線制御部２０４は、所定の無線通信回線を介して接続された撮像装置１等の外部機器との情報の通信制御を行う。
即ち、無線制御部２０４は、所定の無線通信回線を介して通信する無線通信手段を構成し、例えば、通信アンテナ２０４ａを具備する無線ＬＡＮモジュール等を備えている。具体的には、無線制御部２０４は、撮像装置１の無線制御部１１０と同様に、外部のアクセスポイントを経由せずに直接撮像装置１の無線制御部１１０との間で無線通信回線を構築するPeer to Peer（アドホックモード）で動作する。このアドホックモードでは、撮像装置１の無線制御部１１０と同様に、例えば、予め当該無線通信回線の通信方式、暗号化情報、チャンネル、ＩＰアドレス等の各種の通信制御情報を設定しておく。そして、無線制御部２０４は、無線通信可能範囲内に存し、共通の通信制御情報が設定されている撮像装置１の無線制御部１１０との間で無線通信を行う。
例えば、無線制御部２０４は、撮像装置１の無線制御部１１０から所定の無線通信回線を介して送信されたフレーム画像の画像データを通信アンテナにより受信して、画像データ処理部１０５に出力する。
【００４７】
なお、無線制御部２０４は、撮像装置１の無線制御部１１０と同様に、例えば、当該端末本体に所定のインタフェース（例えば、ＵＳＢ（Universal Serial Bus）等）を介して接続された構成であっても良いし、当該装置本体或いは装置本体に着脱自在な記録媒体（図示略）等に内蔵された構成であっても良い。
【００４８】
画像データ処理部２０５は、無線制御部２０４により受信されたフレーム画像の画像データに対して、各種処理を施して表示部２０６に出力する。このとき、画像データ処理部２０５は、例えば、無線制御部２０４により受信された画像データを表示部２０６の表示画面の表示解像度等に基づいて所定サイズに拡大縮小して表示部２０６に出力しても良い。
【００４９】
表示部２０６は、例えば、ＬＣＤ等を具備し、中央制御部２０１のＣＰＵの制御下にて各種情報を表示画面に表示する。
具体的には、表示部２０６は、例えば、撮像装置１から送信され無線制御部２０４により受信されたフレーム画像の画像データに基づいて、対応するライブビュー画像を表示画面に表示する。
【００５０】
＜撮像処理＞
次に、撮像システム１００による撮像処理について、図４を参照して説明する。
図４は、撮像処理に係る動作の一例を示すフローチャートである。
【００５１】
なお、以下の撮像処理では、予め撮像装置１と表示端末２とが無線通信回線を介して情報通信可能に接続されているものとする。また、撮像装置１の動き検出部１０７は、所定の時間間隔で当該装置本体の動きを常時検出しているものとする。
【００５２】
図４に示すように、撮像装置１にあっては、撮像制御部１０４ｃは、例えば、ＡＦ、ＡＥ、ＡＷＢ等の被写体を撮像する際の撮像条件を逐次調整しながら、撮像部１０４は、ライブビュー画像を撮像する（ステップＳ１）。画像データ処理部１０５は、ライブビュー画像を構成する各フレーム画像の画像データ及び表示用の画像データを生成し、識別情報（例えば、時刻情報等）を用いて対応付けた後、各フレーム画像の画像データをメモリ１０３に出力して一時記録させるとともに、表示用の画像データを表示部１０６や無線制御部１１０に出力する（ステップＳ２）。表示部１０６は、画像データ処理部１０５から出力され入力された画像データに基づいてライブビュー画像を逐次表示する。また、無線制御部１１０は、入力された表示用の画像データを無線通信回線を介して表示端末２に送信する。
【００５３】
続けて、記録動作制御部１０９の第１判定部１０９ａは、表示端末２から画像の記録指示が送信されて入力されたか否かを判定する（ステップＳ３）。具体的には、第１判定部１０９ａは、表示端末２から送信されて無線制御部１１０により受信される記録指示に基づいて、記録指示が入力されたか否かを判定する。
すなわち、表示端末２にあっては、撮像装置１から無線通信回線を介して送信された表示用の画像データが無線制御部２０４により受信されると、表示部２０６は、無線制御部２０４により受信された表示用の画像データに基づいて、対応するライブビュー画像を表示画面に表示する（ステップＳ４）。
続けて、中央制御部２０１のＣＰＵは、画像の記録指示を入力するためにユーザにより操作入力部２０２の端末側シャッタボタン２０２ａが操作されたか否かを判定する（ステップＳ５）。
【００５４】
ステップＳ５にて、端末側シャッタボタン２０２ａが操作されていないと判定されると（ステップＳ５；ＮＯ）、中央制御部２０１のＣＰＵは、処理をステップＳ４に戻し、それ以降の各処理の実行を制御する。
一方、端末側シャッタボタン２０２ａが操作されたと判定されると（ステップＳ５；ＹＥＳ）、中央制御部２０１のＣＰＵは、画像の記録指示を当該記録指示が入力された時点で表示部２０６に表示されている画像の識別情報と対応付けて無線制御部２０４に出力し、無線制御部２０４は、入力された記録指示及び識別情報を無線通信回線を介して撮像装置１に送信する（ステップＳ６）。
【００５５】
撮像装置１にあっては、ステップＳ３にて、第１判定部１０９ａにより表示端末２から画像の記録指示が入力されたと判定されると（ステップＳ３；ＹＥＳ）、取得制御部１０９ｃは、無線制御部１１０により受信された当該記録指示と対応付けられている識別情報を取得し、メモリ１０３を参照して当該識別情報と対応付けられているフレーム画像の画像データを記録用の画像データとして取得させる（ステップＳ７）。
記録部１１１は、取得制御部１０９ｃにより取得されたフレーム画像の画像データを記録して（ステップＳ８）、当該撮像処理を終了する。
【００５６】
一方、ステップＳ３にて、第１判定部１０９ａにより表示端末２から画像の記録指示が入力されていないと判定されると（ステップＳ３；ＮＯ）、第２判定部１０９ｂは、動き検出部１０７により当該装置本体の動きが検出されているか否かを判定する（ステップＳ９）。
ここで、当該装置本体の動きが検出されていないと判定されると（ステップＳ９；ＮＯ）、第１判定部１０９ａは、ユーザにより本体側シャッタボタン１０２ａが半押し操作されているか否かを判定する（ステップＳ１０）。具体的には、第１判定部１０９ａは、ユーザによる本体側シャッタボタン１０２ａの半押し操作に基づいて、当該本体側シャッタボタン１０２ａから出力された半押し信号が入力されているか否かを判定する。
【００５７】
ステップＳ１０にて、本体側シャッタボタン１０２ａが半押し操作されていないと判定されると（ステップＳ１０；ＮＯ）、中央制御部１０１のＣＰＵは、処理をステップＳ１に戻し、それ以降の各処理の実行を制御する。
一方、本体側シャッタボタン１０２ａが半押し操作されていると判定されると（ステップＳ１０；ＹＥＳ）、撮像制御部１０４ｃは、ＡＦ、ＡＥ、ＡＷＢ等の被写体を撮像する際の撮像条件を再度調整し（ステップＳ１１）、第１判定部１０９ａは、ユーザにより本体側シャッタボタン１０２ａが全押し操作されているか否かを判定する（ステップＳ１２）。具体的には、第１判定部１０９ａは、ユーザによる本体側シャッタボタン１０２ａの半押し操作に基づいて、当該本体側シャッタボタン１０２ａから出力された画像の記録指示を表す全押し信号が入力されているか否かを判定する。
【００５８】
ステップＳ１２にて、本体側シャッタボタン１０２ａが全押し操作されていないと判定されると（ステップＳ１２；ＮＯ）、中央制御部１０１のＣＰＵは、処理をステップＳ１０に戻し、それ以降の各処理の実行を制御する。
一方、本体側シャッタボタン１０２ａが全押し操作されていると判定されると（ステップＳ１２；ＹＥＳ）、取得制御部１０９ｃは、撮像部１０４により撮像されて画像データ処理部１０５により生成された画像データを記録用の画像データとして取得させる（ステップＳ１３）。その後、中央制御部１０１のＣＰＵは、処理をステップＳ８に移行し、記録部１１１は、取得制御部１０９ｃにより取得されたフレーム画像の画像データを記録して（ステップＳ８）、当該撮像処理を終了する。
【００５９】
ステップＳ９にて、当該装置本体の動きが検出されていると判定されると（ステップＳ９；ＹＥＳ）、第１判定部１０９ａは、ユーザにより本体側シャッタボタン１０２ａが全押し操作されているか否かを判定する（ステップＳ１４）。具体的には、第１判定部１０９ａは、ユーザによる本体側シャッタボタン１０２ａの半押し操作に基づいて、当該本体側シャッタボタン１０２ａから出力された画像の記録指示を表す全押し信号が入力されているか否かを判定する。
【００６０】
ステップＳ１４にて、本体側シャッタボタン１０２ａが全押し操作されていないと判定されると（ステップＳ１４；ＮＯ）、中央制御部１０１のＣＰＵは、処理をステップＳ９に戻し、それ以降の各処理の実行を制御する。
一方、本体側シャッタボタン１０２ａが全押し操作されていると判定されると（ステップＳ１４；ＹＥＳ）、取得制御部１０９ｃは、メモリ１０３に記録されている最も新しいフレーム画像の画像データを記録用の画像データとして取得させる（ステップＳ１５）。その後、中央制御部１０１のＣＰＵは、処理をステップＳ８に移行し、記録部１１１は、取得制御部１０９ｃにより取得されたフレーム画像の画像データを記録して（ステップＳ８）、当該撮像処理を終了する。
【００６１】
以上のように、本実施形態の撮像システム１００によれば、端末側シャッタボタン２０２ａが操作されて無線制御部１１０を介して記録指示が入力されたか、或いは、本体側シャッタボタン１０２ａが操作されて記録指示が入力されたかを判定し、端末側シャッタボタン２０２ａが操作されて記録指示が入力されたと判定されると、当該記録指示が入力された時点で表示端末２の表示部２０６に表示されているライブビュー画像と対応付けてメモリ１０３に記録されている画像を取得させる一方で、本体側シャッタボタン１０２ａが操作されて記録指示が入力されたと判定されると、撮像条件が調整されて撮像部１０４により撮像された画像を取得させるので、端末側シャッタボタン２０２ａ及び本体側シャッタボタン１０２ａの中でユーザにより操作されるシャッタボタンに応じて、取得する画像を切り替えることができ、それに伴ってユーザの意図する画像を適正に撮像することができる。
すなわち、ユーザにより端末側シャッタボタン２０２ａが操作された場合には、表示端末２の表示部２０６に表示されているライブビュー画像をユーザが見ながら撮像したと考えられるので、表示部２０６に表示されるライブビュー画像の撮像された時点からの時間的な遅れを生じさせないように、例えば、所定の識別情報を用いてライブビュー画像と対応付けてメモリ１０３に記録されている画像を取得することができる。一方、ユーザにより本体側シャッタボタン１０２ａが操作された場合には、例えば、構図や画角等を考慮しつつ、ＡＦ、ＡＥ、ＡＷＢ等の各種の撮像条件を調整した画像をユーザが撮像したいと考えられるので、被写体に応じて適正に撮像条件が調整された画像を取得することができる。
結果として、ユーザの撮像の意図を考慮して、適正な画像を自動的に取得して記録することができる。
【００６２】
また、本体側シャッタボタン１０２ａが操作されて記録指示が入力された際に、撮像装置１の動きが検出されているか否かを判定し、当該装置本体の動きが検出されていると判定されると、本体側シャッタボタン１０２ａが操作されて記録指示が入力された時点でメモリ１０３に記録されている最も新しい画像を取得させる一方で、当該装置本体の動きが検出されていないと判定されると、撮像条件が調整されて撮像部１０４により撮像された画像を取得させるので、本体側シャッタボタン１０２ａが操作された際の撮像装置１の動きを考慮して、ユーザの意図する画像を適正に撮像することができる。すなわち、撮像装置１の動きが検出されている場合には、例えば、ユーザが移動しながら本体側シャッタボタン１０２ａを操作した場合であると考えられるので、撮像条件を調整することなく、メモリ１０３に記録されている最も新しい画像を取得することができる。一方、撮像装置１の動きが検出されていない場合には、上記と同様に、例えば、ＡＦ、ＡＥ、ＡＷＢ等の各種の撮像条件を調整した画像をユーザが撮像したいと考えられるので、被写体に応じて適正に撮像条件が調整された画像を取得することができる。
このとき、本体側シャッタボタン１０２ａが操作されて記録指示が入力される前に撮像部１０４による撮像条件を逐次調整するとともに、撮像装置１の動きが検出されていないと判定された後に、撮像部１０４による撮像条件を再度調整するので、撮像装置１の動きが検出されている場合に取得される、メモリ１０３に記録されている最も新しい画像についても、ある程度撮像条件を調整した状態とすることができ、その一方で、撮像装置１の動きが検出されていない場合に取得される画像については、被写体に応じて適正に撮像条件を調整して撮像することができる。
【００６３】
また、モード設定部１０８により撮像部１０４による撮像条件を常時調整する撮像条件調整モードが設定されている場合には、撮像装置１の動きが検出されていると判定されても、撮像条件が調整されて撮像部１０４により撮像された画像を取得させるので、例えば、手ぶれ等が生じている状況下や、ユーザが意図的に流し撮りを行っている場合に、撮像条件が調整されることなく画像が撮像されてしまうことを防止することができる。
【００６４】
なお、本発明は、上記実施形態に限定されることなく、本発明の趣旨を逸脱しない範囲において、種々の改良並びに設計の変更を行っても良い。
例えば、上記実施形態にあっては、撮像装置１は、取得制御部１０９ｃの制御下にて取得された画像を記録するようにしたが、一例であってこれに限られるものではなく、画像を記録するか否かは適宜任意に変更可能である。すなわち、撮像装置１は、必ずしも記録部１１１を具備する必要はなく、取得された画像を所定の通信回線を介して外部機器に送信して記録させるような構成であっても良い。
【００６５】
また、上記実施形態では、例えば、所定の通信回線として、無線通信回線を例示して説明したが、撮像装置１と表示端末２とを有線ケーブル等により接続して通信を行う有線通信回線であっても良い。即ち、撮像装置１と表示端末２とを接続する有線ケーブルの各種条件（例えば、長さ、太さ、材質等）によって、ノイズ量が変化すると考えられるため、通信品質に影響を及ぼし、ライブビュー画像の表示は、当該画像が撮像された時点から時間的に遅れが生じることとなる。
【００６６】
さらに、例えば、インターバル撮影等にて、所定のタイミングで自動的に撮像を行う場合には、撮像装置１の動きが検出されている場合と略同様に、撮像条件を調整することなく、メモリ１０３に記録されている最も新しい画像を取得するようにしても良い。
【００６７】
また、撮像システム１００の構成や当該撮像システム１００が有する撮像装置１や表示端末２の構成は、上記実施形態に例示したものは一例であり、これに限られるものではない。
【００６８】
加えて、上記実施形態にあっては、第１の判定手段、取得制御手段としての機能を、撮像装置１の中央制御部１０１の制御下にて、第１判定部１０９ａ、取得制御部１０９ｃが駆動することにより実現される構成としたが、これに限られるものではなく、中央制御部１０１によって所定のプログラム等が実行されることにより実現される構成としても良い。
即ち、プログラムメモリ（図示略）に、第１の判定処理ルーチン、取得制御処理ルーチンを含むプログラムを記録しておく。そして、第１の判定処理ルーチンにより中央制御部１０１のＣＰＵを、端末側操作手段が操作されて通信手段を介して記録指示が入力されたか、或いは、本体側操作手段が操作されて記録指示が入力されたかを判定する手段として機能させるようにしても良い。また、取得制御処理ルーチンにより中央制御部１０１のＣＰＵを、端末側操作手段が操作されて記録指示が入力されたと判定されると、当該記録指示が入力された時点で表示手段に表示されている画像と対応付けて一時記録手段に記録されている画像を取得させる一方で、本体側操作手段が操作されて記録指示が入力されたと判定されると、撮像条件が調整されて撮像手段により撮像された画像を取得させる手段として機能させるようにしても良い。
【００６９】
同様に、検出手段、第二の判定手段、調整手段、設定手段、記録手段についても、撮像装置１の中央制御部１０１のＣＰＵによって所定のプログラム等が実行されることにより実現される構成としても良い。
【００７０】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像手段と、
前記撮像手段により撮像された画像を表示する表示手段及び前記撮像手段により撮像される画像の記録指示を入力するための端末側操作手段を備える端末と所定の通信回線を介して情報通信を行う通信手段と、
前記撮像手段により撮像される画像の記録指示を入力するための本体側操作手段と、
前記端末側操作手段が操作されて前記通信手段を介して前記記録指示が入力されたか、或いは、前記本体側操作手段が操作されて前記記録指示が入力されたかを判定する第一の判定手段と、
前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段と、
を備えたことを特徴とする撮像装置。
＜請求項２＞
当該装置本体の動きを検出する検出手段と、
前記本体側操作手段が操作されて前記記録指示が入力された際に、前記検出手段により動きが検出されているか否かを判定する第二の判定手段と、を更に備え、
前記取得制御手段は、
前記第二の判定手段により動きが検出されていると判定されると、前記本体側操作手段が操作されて前記記録指示が入力された時点で一時記録手段に記録されている最も新しい画像を取得させる一方で、動きが検出されていないと判定されると、撮像条件が調整されて前記撮像手段により撮像された画像を取得させることを特徴とする請求項１に記載の撮像装置。
＜請求項３＞
前記撮像手段による撮像条件を逐次調整する調整手段を更に備え、
前記調整手段は、
前記記録指示が入力される前に前記撮像手段による撮像条件を逐次調整するとともに、前記第二の判定手段により動きが検出されていないと判定された後に、前記撮像手段による撮像条件を再度調整することを特徴とする請求項２に記載の撮像装置。
＜請求項４＞
前記調整手段により撮像条件を調整する所定のモードを設定する設定手段を更に備え、
前記取得制御手段は、
前記設定手段により前記所定のモードが設定されている場合には、前記第二の判定手段により動きが検出されていると判定されても、前記調整手段により撮像条件が調整されて前記撮像手段により撮像された画像を取得させることを特徴とする請求項３に記載の撮像装置。
＜請求項５＞
前記表示手段に表示される画像と前記一時記録手段に記録される画像は、所定の識別情報を用いて対応付けられてなることを特徴とする請求項１〜４の何れか一項に記載の撮像装置。
＜請求項６＞
前記取得制御手段により取得された画像を記録する記録手段を更に備えることを特徴とする請求項１〜５の何れか一項に記載の撮像装置。
＜請求項７＞
撮像手段を備える撮像装置と、所定の通信回線を介して情報通信可能に接続された端末とを備える撮像システムであって、
前記端末は、
前記撮像手段により撮像された画像を表示する表示手段と、
前記撮像手段により撮像される画像の記録指示を入力するための端末側操作手段と、を備え、
前記撮像装置は、
前記端末と所定の通信回線を介して情報通信を行う通信手段と、
前記撮像手段により撮像される画像の記録指示を入力するための本体側操作手段と、
前記端末側操作手段が操作されて前記通信手段を介して前記記録指示が入力されたか、或いは、前記本体側操作手段が操作されて前記記録指示が入力されたかを判定する第一の判定手段と、
前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段と、を備えたことを特徴とする撮像システム。
＜請求項８＞
撮像手段と、前記撮像手段により撮像された画像を表示する表示手段及び前記撮像手段により撮像される画像の記録指示を入力するための端末側操作手段を備える端末と所定の通信回線を介して情報通信を行う通信手段と、前記撮像手段により撮像される画像の記録指示を入力するための本体側操作手段と、を備える撮像装置を用いた撮像方法であって、
前記端末側操作手段が操作されて前記通信手段を介して前記記録指示が入力されたか、或いは、前記本体側操作手段が操作されて前記記録指示が入力されたかを判定する処理と、
前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる処理と、
を含むことを特徴とする撮像方法。
＜請求項９＞
撮像手段と、前記撮像手段により撮像された画像を表示する表示手段及び前記撮像手段により撮像される画像の記録指示を入力するための端末側操作手段を備える端末と所定の通信回線を介して情報通信を行う通信手段と、前記撮像手段により撮像される画像の記録指示を入力するための本体側操作手段と、を備える撮像装置が有するコンピュータを、
前記端末側操作手段が操作されて前記通信手段を介して前記記録指示が入力されたか、或いは、前記本体側操作手段が操作されて前記記録指示が入力されたかを判定する第一の判定手段、
前記第一の判定手段により前記端末側操作手段が操作されて前記記録指示が入力されたと判定されると、当該記録指示が入力された時点で前記表示手段に表示されている画像と対応付けて一時記録手段に記録されている画像を取得させる一方で、前記本体側操作手段が操作されて前記記録指示が入力されたと判定されると、撮像条件が調整されて前記撮像手段により撮像された画像を取得させる取得制御手段、
として機能させることを特徴とするプログラム。
【符号の説明】
【００７２】
１００    撮像システム
１        撮像装置
１０１    中央制御部
１０２    操作入力部
１０２ａ  本体側シャッタボタン
１０３    メモリ
１０４    撮像部
１０７    動き検出部
１０８    モード設定部
１０９    記録動作制御部
１０９ａ  第１判定部
１０９ｂ  第２判定部
１０９ｃ  取得処理部
１１０    無線制御部
１１１    記録部
２        表示端末
２０２    操作入力部
２０２ａ  端末側シャッタボタン
２０４    無線制御部
２０６    表示部
【図１】
2015119432.tif 000003
【図２】
2015119432.tif 000004
【図３】
2015119432.tif 000005
【図４】
2015119432.tif 000006